(57)【特許請求の範囲】
【請求項１】
座と、背もたれと、前記背もたれの背面と間隔を空けた状態で左右方向に延びるように配置したフレーム状又はバー状のハンドルとを備えており、
前記背もたれは、人の背中が当たる背もたれ板と、背もたれ板の後方に間隔を空けた状態で配置した裏カバーとを備えており、前記背もたれ板と裏カバーとの間に、背もたれ板のうち主として着座した人の腰に当たる部分を前向きに押し出すランバーサポート装置が高さ位置変更自在に配置されている一方、
前記ハンドルは、その左右両端が背もたれの左右側面部に位置するように形成されており、前記ランバーサポート装置の高さ調節が前記ハンドルによって行われるようになっている、
という構成において、
前記ハンドルの左右端部には立ち上がり部が形成されており、左右立ち上がり部の上端に、背もたれ板と裏カバーとの間に入り込む水平端部が設けられており、前記左右水平端部に前記ランバーサポート装置が取付けられている、
背もたれ付き椅子。
【請求項２】
前記ランバーサポート装置は、背もたれ板を前向きに押し出す押圧部材と、回動によって前記押圧部材を前向きに押し出す駆動部材とを備えており、前記ハンドルの水平端部を駆動部材に連結することにより、ハンドルの回動操作によって駆動部材を回動操作できるようになっている、
請求項１に記載した背もたれ付き椅子。
【発明の詳細な説明】
【０００１】
【発明の属する技術分野】
本発明は、背もたれを備えた椅子に関するものである。
【０００２】
【従来の技術】
一般に、椅子の背もたれは突起物がない状態に構成されているが、椅子の移動を容易ならしめたり、タオルや衣服を仮掛けしたりするためのハンドル（フレーム）があると便利である。
【０００３】
この点について実公昭４４−７７７６号公報には、木製の椅子において、背もたれの上端にハンガー状の上桟を形成してこれに上衣を掛けることができるようにすると共に、背もたれの背面に、左右一対の後ろ向きブラケットを介して棒状のズボン掛けを設けることが記載されている。
【０００４】
【発明が解決しようとする課題】
ところで、背もたれの背面に設けたハンドルに衣類などを掛ける場合、ハンドルの左右長さはできるだけ長いのが好ましい。また、ハンドルを椅子に対するプロテクターとして機能させることがあり、この場合も、ハンドルで背もたれを広くカバーするのが好ましい。
【０００５】
しかし、前記公報のように背もたれの背面から後ろ向きに突設したブラケットにハンドルを取付けた構成では、ハンドルの左右長さは必然的に背もたれの左右巾よりも小さくなるため、ハンドルに掛けることのできる衣類の量を多くすることができないとばかりか、背もたれのガード機能が低いという問題があった。
【０００６】
他方、背もたれに、背もたれ板のうち主として着座した人の腰に当たる部分を前向きに押し出すランバーサポート装置を設けることが行われており、その例として、特許第３０３８１７４号公報には、背支杆（バックフレーム）に側面視前向き凸で緩く湾曲した突出部材を上下動自在に設けることが記載されている。
【０００７】
しかし、この構成では、突出部材による背もたれ板の押し出し量は一定であるため、着座した人の体格や好みに応じて腰部を的確に支持することが困難であった。また、突出部材の高さ調節は、当該突出部材に手をかけて直接に押し引きするものであるため、突出部材を強く掴みにくく、このため高さ調節が面倒であった。
【０００８】
また、特開平１０−２１１０４９号公報には、背もたれにおける表皮材とクッションとの間に形成された隙間にベルト状のランバーサポートを設けることが記載されているが、この場合は、表皮材を押し出す量は一定であるため、着座した人の体格や好みに応じて的確に腰を支持することが難しかった。
【０００９】
また、この特開平１０−２１１０４９号公報では、ランバーサポートの裏側にクッションが配置されているため、クッションを設けたことの意味が減殺される点でも問題があった。
【００１０】
本発明は上記のような実情を改善することを課題とするものである。
【００１１】
【課題を解決するための手段】
本願発明に係る椅子は、座と、背もたれと、前記背もたれの背面と間隔を空けた状態で左右方向に延びるように配置したフレーム状又はバー状のハンドルとを備えている。
【００１２】
前記背もたれは、人の背中が当たる背もたれ板と、背もたれ板の後方に間隔を空けた状態で配置した裏カバーとを備えており、前記背もたれ板と裏カバーとの間に、背もたれ板のうち主として着座した人の腰に当たる部分を前向きに押し出すランバーサポート装置が高さ位置変更自在に配置されている一方、
前記ハンドルは、その左右両端が背もたれの左右側面部に位置するように形成されており、前記ランバーサポート装置の高さ調節が前記ハンドルによって行われるようになっている。
【００１３】
そして、前記ハンドル４９の左右端部には立ち上がり部が形成されており、左右立ち上がり部の上端に、背もたれ板と裏カバーとの間に入り込む水平端部が設けられており、前記左右水平端部に前記ランバーサポート装置が取付けられている。
【００１４】
請求項２の発明では、前記ランバーサポート装置は、背もたれ板を前向きに押し出す押圧部材と、回動によって前記押圧部材を前向きに押し出す駆動部材とを備えており、前記ハンドルの水平端部を駆動部材に連結することにより、ハンドルの回動操作によって駆動部材を回動操作できるようになっている。
【００１５】
【００１６】
【発明の作用・効果】
本発明では、ハンドルは背もたれの背面の左右全長にわたって延びているため、実公昭４４−７７７６号公報に比べてハンドルの左右長さを長くすることができる。
【００１７】
このため、衣類などを掛ける場合にはその量を多くすることができると共に、ハンドルを背もたれに対するプロテクター（保護部材）として機能させる場合は保護機能を向上させることができ、更に、ハンドルを椅子移動用の把手として利用する場合は広い範囲からハンドルに手を掛けることができるというように、ハンドルの機能を向上させることができる。
【００１８】
ところで、実公昭４４−７７７６号公報の場合、ブラケットを背もたれに一体成形した場合は、ハンドルを必要としなくなった場合にブラケットが邪魔になり、さりとてブラケットを背もたれとは別体に構成してこれをねじで背もたれに固定すると、ブラケットを取り外した後にねじ穴が露出して美感が悪化する。
【００１９】
これに対して本願発明は、ハンドルの両端が背もたれの側端面に位置しているため、仮にハンドルを取り去っても背もたれの裏側に障害物が残ったり取付け穴が残ったりすることはなく、ハンドルを取り去った場合の問題が生じることはない。
【００２０】
なお、実公昭４４−７７７６号公報では、上衣をかける上桟のうち背もたれの側面から張り出している部分を水平回動式とすることにより、ハンガーとして使用しないときに背もたれの側面から障害物が突出しないように配慮されており、従って、ズボン掛け部（ハンドル）やブラケットを背もたれの左右外側に突出させるという技術的思想は開示されていない。
【００２１】
また、本願発明では、ハンドルは背もたれの左右外側に張り出した状態になるため、上記したハンドルとしての機能を一層向上できる。
【００２２】
また、ランバーサポート装置を設けているため、着座した人の体格等に応じて腰部を的確に支持することができるが、ランバーサポート装置の高さ調節をハンドルによって行うものであるため、それだけ構造を簡単化することができる。また、ハンドルはしっかりと握ることができるため、操作を軽い力で行える利点もある。
【００２３】
特に、請求項２のように構成すると、ハンドルの回動操作によって背もたれ板の押し出し調節を行えるため、背もたれ板の押し出し操作をより軽快に行えて好適である。
【００２４】
ところで、ランバーサポート装置における押圧部材の突出量調節及び高さ調節は着座した状態で行うのが普通であり、この場合、両手（又は片手）を背もたれの裏側に伸ばしてハンドルの操作を行うことになるが、本願発明では、ハンドルのうち人の手が掛かる部分は下部に位置しているため、非着した人は腕を大きく曲げる必要はなく、このためハンドルの操作をより快適に行える利点である。
【００２５】
【発明の実施形態】
次に、本発明の実施形態を図面に基づいて説明する。
【００２６】
(1).概要（図１〜図５）
先ず、図１〜図５に基づいて椅子の概要を説明する。図１は右側面図、図２は正面図、図３（Ａ）は背面図、図４は部材の分離斜視図、図５は部分的な縦断側面図である。
【００２７】
本発明は回転椅子に適用しており、この椅子は、脚支柱（ガスシリンダ）１を立設したキャスター付きの脚２と、座３と、肘掛け装置４と、背もたれ５と、ヘッドレスト６とを備えている。脚支柱１の上端には上向きに開口したベース７が固定されており、ベース７の上方に正面視で翼状に広がる中間部材８と、座３とが配置されている。
【００２８】
詳細は省略するが、座３は、合成樹脂製の座板（座インナー部材）にクッションを張った構造になっており、座板の左右両側部を中間部材に対して前後動自在に装着している。
【００２９】
中間部材８の前部と後部とには、左右一対ずつのブラケット部８ａ，８ｂを下向きに突設しており、前ブラケット部８ａを左右長手の第１軸９でベース７に連結している。第１軸９がベース７に嵌まる穴１０は前後長手の長穴になっている。
【００３０】
ベース７の前後略中間部には、揺動フレーム１１の前部が左右長手の第２軸１２によって連結されている。また、揺動フレーム１１の前後中途部には、中間部材８の後部ブラケット８ｂが左右長手の第３軸１３によって連結されている。
【００３１】
図４及び図５に示すように、第２軸１２のうちベース７の内部に位置した部位には弾性支持手段の一例として、左右２本のねじりばね（キックばね）１４が振り分けて配置されており、これらねじりばね１４の一端部を受け部材１５で上方から支持し、ねじりばね１４の他端には中間部材８の後部ブラケット部８ｂが上方から当たっている。
【００３２】
従って、揺動フレーム１１はねじりばね１４の弾性に抗して後傾し、かつ、中間部材８及び座３は揺動フレーム１１の後傾動に連動して後傾しつつ後退する（すなわち、座３が背もたれ５にシンクロする）。ねじりばね１４の初期弾性力は、受け部材１５に係合したつまみ１６で調節できる。
【００３３】
揺動フレーム１１は、後部に立ち上がり部１１ａを有する側面視略Ｌ字状に形成されており、本実施形態では、アルミのような軽合金（鉄のような他の金属でも良い）のダイキャストや合成樹脂の成形によって製造されている。
【００３４】
そして、揺動フレーム１１の後ろ向き傾斜部は断面略三角形状で内向きに開口しており、内部に補強リブ１７を設けている。また、立ち上がり部１１ａは傾斜部とスムースに連続するように平面視で三角形状（或いは涙滴状）に形成されており、その前後両面に凹所１８を形成し、凹所１８にリブ１９を多段に設けている。
【００３５】
背もたれ５は、揺動フレーム１１に取付けたバックフレーム（背支持枠）２０と、バックフレーム２０の手前側に配置した背もたれ板（背インナー部材）２１と、バックフレーム２０の裏側に配置した裏カバー（背アウター部材）２２とを備えている。背もたれ板２１の前面にはクッション２３を張っている。
【００３６】
次に、図６以下の図面に基づいて背もたれ５の詳細を説明する。図６は背もたれ板２１を省略した状態での背もたれ５の正面図、図７は背もたれの縦断側面図、図８はクッション２３を省略した状態での縦断側面図、図９（Ａ）はバックフレーム２０と揺動フレーム１１の分離正面図、図１０はバックフレーム２０と背もたれ板２１と裏カバー２２との分離側断面図、図１１及び図１２は背もたれ板２１の取付け状態を示す斜視図、図１３のうち（Ａ）は平面図、（Ｂ）は背もたれ板２１と裏カバー２２との分離平面図である。
【００３７】
(2).背もたれの基本構造
既述のとおり、背もたれ５は、金属製のバックフレーム２０と合成樹脂製の背もたれ板２１と同じく合成樹脂製の裏カバー２２とを備えており、バックフレーム２０には、ランバーサポート機構２５が上下動自在に取付けられている。
【００３８】
例えば図９や図１０に示すように、バックフレーム２０は左右の支柱２０ａを備えており、左右の支柱２０ａは上部横杆２０ｂと下部横杆２０ｃとで連結されている。更に中間横杆を配置しても良い。
【００３９】
バックフレーム２０の左右支柱２０ａの下端部は、揺動フレーム１１の立ち上がり部１１ａに設けた穴に嵌め込まれており、ねじ２６で固定されている。この場合、凹所１８の箇所においてねじ２６をねじ込んでおり、このため、ねじ２６の頭が目立たずに体裁が良い。
【００４０】
例えば図６に示すように、裏カバー２２の上部には前向きに突出した左右長手の水平リブ２７を形成しており、この水平リブ２７に連設した状態で左右一対の下向き開口筒部２８が形成されており、この下向き開口筒部２８に、バックフレーム２０の支柱２０ａの上端を嵌め込み、ねじ２９で固定している。
【００４１】
また、図６〜８、図１０に示すように、裏カバー２２の下部には、バックフレーム２０の下部横杆２０ｃに上方から嵌合するブラケット部３０を一体に設け、ブラケット部３０を下部横杆２０ｃにねじ３１で固定している。
【００４２】
既述の通り、背もたれ板２１の前面にはクッション２３が張られており、クッション２３の表面はクロス（布等の表皮材）３２で覆われている。
【００４３】
また、例えば図７，８，１０，１１に示すように、背もたれ板２１の上部には、裏カバー２２の水平リブ２７よりも上方に位置する左右長手の水平片３５を後ろ向きに突設しており、水平片３５の左右両端部に、円柱状の上取付け部３４を下向きに突設し、これを、裏カバー２２の水平リブ２７に連設した円筒状の上受け部３５に上方から嵌め込んでいる。
【００４４】
この場合、上取付け部３４と背もたれ板２１とは補強のために板状部３４ａによって一体に接続されている一方、裏カバー２２の上受け部３５には、板状部３４ａが嵌合するスリット３６を形成している。
【００４５】
また、上取付け部３４の先端には、上受け部３５の下端面に引っ掛かり係合する上係合爪３７を一体に設けている。このため、上取付け部３４を上受け部３５に嵌め込むと、背もたれ板２１は上向き抜け不能に保持される。図１１に黒抜き矢印で示すように、係合爪３７を外側から内側に押しやった状態で背もたれ板２１を上向きに押し上げると、背もたれ板２１を取り外すことができる。
【００４６】
裏カバー２２の左右両側部には、背もたれ板２１の裏面に向けて突出する縦リブ３８が形成されているが、係合爪３７の箇所では、縦リブ３８はごく低い高さになっていて（途切れていても良い）、係合爪３７の押し曲げ操作に支障が無いように配慮されている。
【００４７】
背もたれ板２１の下部には、バックフレーム２０の下部横杆２０ｃと裏カバー２２との間の空間に上方から入る下取付け部３９を一体に形成している。下取付け部３９は、背もたれ板２１が手前側に移動し得るように上下方向に長く延びており、その下端に、バックフレーム２０の下部横杆２０ｃに引っ掛かることによって背もたれ板２１の前向き移動限度を規制する爪３９ｃを設けている。
【００４８】
また、図１２に示すように、背もたれ板２１には下取付け部３９の上部を囲うようなスリット４０が形成されており、このため、下取付け部３８を前後移動させるように容易に変形させることができる。換言すると、下取付け部３９を下部横杆２０ｃに係合させた状態で、背もたれ板２１の下部を手前に押しやるように容易に撓み変形させることができる。また、背もたれ板２１の取り外しに際しても、下取付け部３９を簡単におしやることができる。
【００４９】
背もたれ板２１を取付ける場合は、先に下取付け部３９を下部横杆２０ｃと裏カバー２２との間に挿入してから、上部取付け部３４を裏カバー２２の上受け部３５に弾性に抗して嵌め込むことになる。取り外しは逆の手順で行う。
【００５０】
背もたれ板２１の背面と下取付け部３９との間の間隔はバックフレーム２０の下部横杆２０ｃの直径よりも大きいため、背もたれ板２０がその下部において前後動することが許容されており、このため、背もたれ板２０は側面視でも撓み変形が可能なっており、その結果、着座した人に対して高いフィット感を与えることができる。
【００５１】
クッション２３を覆うクロス３２は背もたれ板２１の裏面の全体を覆うように袋状に形成されており、クロス３２から水平リブ２７や下取付け部３９が露出した状態になっている。また、背もたれ板２１の水平片３５には左右に長いスリット４１が形成されており、このスリット４１に、クロス３２の縁部３２ａを差し込むことにより、水平片３５の箇所でクロス３２を美麗に処理している。
【００５２】
ヘッドレスト６は左右の支柱４２を備えており、左右の支柱４２は、裏カバー２２の前面に設けた上下一対ずつの受け筒部４５に差し込み装着されており、図示しない爪式係合手段で抜け不能に保持されている。
【００５３】
(3).ランバーサポート機構の構造
次に、図１４以下の図面も参照してランバーサポート機構２５について説明する。
【００５４】
図１４のうち（Ａ）は部分平面図、（Ｂ）は部分正面図，（Ｃ）は部分的な右側面図、図１５は要部の正面図、図１６は背もたれ板２１の側縁部の正面図、図１７は図１５のXVII−XVII視断面図、図１８のうち（Ａ）は図１５の XVIII-XVIII視断面図、（Ｂ）は部材の分離図、（Ｃ）は（Ａ）の部分的な破断図、図１９は図１８のXIX-XIX 視断面図、図２０は図１８のXX−XX視断面図、図２１のうち（Ａ）は図１９の XXI-XXI視断面図、（Ｂ）は作用を示す概略図である。
【００５５】
ランバーサポート機構２５は、背もたれ板２１のうち特に着座した人の腰に当たる部分を前向き突出させることにより、着座した人に、その体格に応じた正しい姿勢を採れるようにするためのものである。
【００５６】
ランバーサポート機構２５は、バックフレーム２０の支柱２０ａに上下動自在に装着したスライドケース（昇降手段の一例）４５と、左右のスライドケース４５を一体に連結する連結体（連結手段の一例）４６と、と、スライドケース４５に設けた押圧アーム（押圧手段の一例）４７と、左右の押圧アーム４７を一緒に回動させるための連動軸（連動手段の一例）４８と、左右の押圧アーム４７を同時に操作する操作手段の一例であるハンドル４９とを備えている。
【００５７】
図１９に示すように、スライドケース４５の内部には合成樹脂製の２つ割り式のスライダー５０が装着されている。また、図１５及び図１７に示すように、スライダー５０には下向き（上向きでも良い）に延びる片持ち梁状で先端が側断面山形に形成された撓み爪５１を設ける一方、裏カバー２２のうちスライドケース４５の後方位置に設けたリブ５２に、前記撓み爪５１が係合する側面視鋸歯状の凹凸部５２ａを形成している。
【００５８】
従って、スライドケース４５に対して上向き又は下向きのある程度の力を掛けると、撓み爪５１を弾性変形させてランバーサポート機構２５を上下動させることができ、かつ、上下方向の外力がなくなると、ランバーサポート機構２５はその高さに停止する。これにより、身長の違いに関係なく、着座した人の腰を的確に支持することができる。
【００５９】
スライドケース４５及びスライダー５０には、連動軸４８の左右端部が回転可能に貫通している。連動軸４８は左右スライドケース４５の間でクランク状に曲げられており、図１８（Ｃ）に示すように、連動軸４８のクランク部を連結板４６に当てることにより、一方方向の回転限度が規制されている。
【００６０】
図２１に示すように、スライドケース４５の左右側面部には、平断面略コ字状で上下に延びる受けケース５３が固定されており、この受けケース５３に平断面略コ字状の前記押圧アーム４７が前方から被さっている。そして、押圧アーム４７の上部に前記連動軸４８の左右端部が貫通しており、連動軸４８に押圧アーム４７を固定している。
【００６１】
従って、押圧アーム４７は連動軸４８と一体に回動する。連動軸４８の端部は受けケース５３に貫通しており、受けケース５３は連動軸４８に対する軸受けの役割も果たしている。
【００６２】
受けケース５３の上下中途部には、左右長手の支軸５４により、歯車５５とカム５６とが回転自在に支持されている。支軸５４と歯車５５とカム５６と一体に回転するようになっている。
【００６３】
図２１に示すように、カム５６の外周面で押圧アーム４７を支持するようになっているが、カム５６の外周面に軸心からの距離が異なる複数（６個）のカム面５６ａを形成することにより、カム５６が回転すると押圧アーム４７が連動軸４８の端部を中心にして回動するように設定している。
【００６４】
押圧アーム４７の下端には、背もたれ板２１の背面に当たるローラ５７を設けている。背もたれ板２１は平面視で前向き凹状に湾曲しているため、図２０に示すように、ローラ５７はテーパ状に形成されている。
【００６５】
また、図１６に示すように、背もたれ板２１の左右側部には階段状に屈曲したスリット５８が多段に形成されており、スリット５８のうち階段状の部分がローラ５７に当たるように設定している。
【００６６】
図１８に示すように、受けケース５３の内部には、駆動部材の一例として、連動軸４８の端部に固定されたシーソー式回動部材５９が配置されており、回動部材５９に、歯車５５に噛合する爪材６０を取付けている。従って、連動軸４８を中心にして回動部材５９を回動させると、歯車５５とカム５６とを回転させることができる。
【００６７】
この場合、回動部材５９を白抜き矢印方向に回動させると歯車５５が右側面視で半時計回り方向のみに間欠的に回転するように、歯車５５の歯を非対称状台形に形成して、かつ、受けケース５３に、歯車５５の逆転を阻止する弾性ストッパー６１を取付けている。
【００６８】
そして、左右の回動部材５９にハンドル４９の左右端部（水平端部４９ｂ）をねじ６２で固定している。ハンドル４９は裏カバー２２を後ろ側から囲うように端部が平面視コ字状に形成されており、ハンドル４９と裏カバー２２の背面との間には、当該ハンドル４９を人が握ったり、ハンドル４９に服やタオルなどを掛けたりすることのできる程度の空間が空いている。
【００６９】
また、ハンドル４９の左右端部に立ち上がり部４９ａを設け、立ち上がり部４９ａの上端に水平端部４９ｂを設け、この水平端部４９ｂを前記回動部材５９に固定している。なお、水平端部４９ｂを基準にすると、立ち上がり部４９ａは垂下部として表現される。
【００７０】
(4).ランバーサポート機構の動き
ハンドル４９を手で持って手前側に回動させると、回動部材５９が回動してカム５６が位置方向に間欠的に回転するため、すなわち、カム５６はロータリー式になっているため、押圧アーム４７が回動することによって背もたれ板２１を少しずつ押し出せると共に、背もたれ板２１を最大突出位置まで押し出してから次にハンドル４９を回動させると、背もたれ板２１は最も後退している位置に戻る。
【００７１】
また、ハンドル４９を手で持ってある程度の力を掛けて上下方向に押し引きすると、前記した撓み爪５１と凹凸部５２ａとの作用により、ランバーサポート機構２５をごく細かいピッチで上下動させることができる。
【００７２】
本実施形態のようにハンドル４９の左右端部に立ち上がり部（端部から見ると垂下部となる）４９ａを設けると、着座した状態でハンドル４９を簡単に掴むことができるため、着座した状態のままでランバーサポート機構２５の高さ調節や突出量調節を簡単に行うことができる利点がある。なお、本実施形態では、ハンドル４９の操作は、上半身を背もたれ５から浮かした状態で行う。
【００７３】
前記特許第３０３８１７４号の場合、背もたれ板の左右中間部が突起で支持されているに過ぎないため、背もたれ板２１が平面視で後ろ向き凹状に撓み変形することはなく、このためフィット感に乏しいという問題がある。
【００７４】
これに対して本願発明では、背もたれ板２１の左右両端部を押圧アーム４７で押し出すものであるため、背もたれ板２１は平面視で後ろ向きに突出するように撓み変形することができ、このため、フィット性とクッション性とに優れている。
【００７５】
本実施形態のように背もたれ板２１のうちローラ５７が当たる部分にスリット５８を設けると、背もたれ板２１の撓みを容易ならしめて、ランバーサポート機能を向上できる。
【００７６】
この場合、スリット５８を階段状に形成して、段違い部をローラ５７で支持しているため、スリット５８を設けたものでありながら、背もたれ板２１がローラ５７で押し破られるような状態になることを防止して、背もたれ板２１を的確に押し出すことができる。
【００７７】
(5).実施形態の利点
左右縦リブ３８は、ハンドル４９の水平端部４９ｂと干渉しないように、ハンドル４９の端部が上下動する範囲でごく低い高さの切り欠き部３８ａになっている（全くなくても良い）。このようにすると、ハンドル４９の上下動操作機能を損なうことなく、背もたれ板２１と裏カバー２２との間の空間が外側に過度に露出することを防止して、美感を向上できると共に安全性を確保できる。
【００７８】
図１８から容易に理解できるように、ローラ５７を押圧アーム４７に取付けるに当たっては、押圧アーム４７の左右側板に形成したくびれ状穴６３にボス６４を強制的に嵌め込んでおり、このため、ローラ５７をワンタッチ的に取付けることができる。
【００７９】
なお、必ずしもローラ５７を設ける必要はなく、押圧アーム４７を背もたれ板２１に当てるだけでも良いが、ローラ５７を使用すると上下高さ調節をスムースに行える利点がある。
【００８０】
(6).その他
本発明は上記の実施形態の他にも様々に具体化できる。裏カバーや背もたれ板も、デザイン等の必要に応じて様々に具体化することができる。ハンドルの断面形状も必要に応じて選択できる。
【００８１】
ランバーサポート装置は背もたれ板の左右両側部を押し出す構造には限らず、背もたれ板の左右中間部を押し出す構造としたり、中間部と左右両端部との３ヶ所を押し出す構造とすることも可能である。ランバーサポート装置を裏カバーに取り付けてもよい。
【００８２】
更に、ランバーサポートの高さ調節手段や背もたれ板の押し出し手段は、図示した構造の他の様々の構造を採用することができる。例えばくさび作用を利用するなどして、背もたれ板の押し出し量を無段階調節することも可能である。
【００８３】
【図面の簡単な説明】
【図１】椅子の右側面図である。
【図２】椅子の正面図である。
【図３】 (A)は椅子の背面図、 (B)は裏カバーの部分背面図、 (C)は (B)の C-C視断面図である。
【図４】ベースと中間部材との分離斜視図である。
【図５】部分的な縦断側面図である。
【図６】背もたれ板を省略した状態での背もたれの正面図である。
【図７】背もたれの縦断側面図である。
【図８】クッションを省略した状態での縦断側面図である。
【図９】 (A)はバックフレーム２０と揺動ハンドルの分離正面図、 (B)は (A)の B-B視断面図である。
【図10】背もたれの分離側断面図である。
【図11】背もたれ板の上部の取付け状態を示す斜視図である。
【図12】背もたれ板の下部の取付け状態を示す斜視図である。
【図13】 (A)は背もたれの概略平面図、 (B)は背もたれ板と裏カバーとの分離平面である。
【図14】 (A)は部分平面図、 (B)は部分正面図、 (C)は部分的な右側面図である。
【図15】ランバーサポート機構の要部の正面図である。
【図16】背もたれ板の側縁部の正面図である。
【図17】図１５のXVII−XVII視断面図である。
【図18】 (A)は図１５の XVIII-XVIII視断面図、 (B)は部材の分離図、 (C)は (A)の部分的な破断図である。
【図19】図１８のXIX-XIX視断面図である。
【図20】図１８のXX−XX視断面図である。
【図21】 (A)は図19の XXI-XXI視断面図、 (B)は作用を示す概略図である。
【符号の簡単な説明】
５  背もたれ
２０  バックフレーム
２１  背もたれ板
２２  裏カバー
２５  ランバーサポート装置
４５  スライドケース
４６  連結板
４７  押圧部材の一例としての押圧アーム
４８  連動軸
４９  ハンドル
４９ａ  ハンドルの立ち上がり部
４９ｂ  ハンドルの水平端部
５５  歯車
５６  カム
５７  ローラ
５９  駆動部材の一例としての回動部材
【図１】
0004036427.tif 000002
【図２】
0004036427.tif 000003
【図３】
0004036427.tif 000004
【図４】
0004036427.tif 000005
【図５】
0004036427.tif 000006
【図６】
0004036427.tif 000007
【図７】
0004036427.tif 000008
【図８】
0004036427.tif 000009
【図９】
0004036427.tif 000010
【図１０】
0004036427.tif 000011
【図１１】
0004036427.tif 000012
【図１２】
0004036427.tif 000013
【図１３】
0004036427.tif 000014
【図１４】
0004036427.tif 000015
【図１５】
0004036427.tif 000016
【図１６】
0004036427.tif 000017
【図１７】
0004036427.tif 000018
【図１８】
0004036427.tif 000019
【図１９】
0004036427.tif 000020
【図２０】
0004036427.tif 000021
【図２１】
0004036427.tif 000022